(57)【要約】  点検履歴データの時間情報の信頼性を高めることができる建設機械の点検履歴情報管理システムを提供する。  油圧ショベル１等の建設機械に設けられ、稼働時間又は日付時刻を処理するデータ記録装置３０と、建設機械の点検項目をモニタ３８に表示させるＣＰＵ３６、モニタ３８に表示した点検項目に対するデータを作業者が入力可能なタブレット４１、入力したデータを点検履歴データとして記憶する保存デバイス３５を備えた携帯端末３４とを有し、携帯端末３４は、第１通信手段（通信ケーブル３３Ａと通信コネクタ３２Ａ、若しくは通信ケーブル３３Ｂと複数の通信コネクタ３２Ｂ，３２Ｃのうちのいずれか）を介しデータ記録装置３０から稼働時間又は日付時刻を入力し、この入力した稼働時間又は日付時刻と前記点検履歴データとを関連付けて保存デバイス３５に記憶する。
2007080835.tif 000002
【特許請求の範囲】
【請求項１】
建設機械に設けられ、稼働時間又は日付時刻を処理するデータ制御装置と、
建設機械の点検項目を表示手段に表示させる制御手段、前記表示手段に表示した点検項目に対するデータを作業者が入力可能な入力手段、及び前記入力手段で入力したデータを点検履歴データとして記憶する記憶手段を備えた携帯端末とを有し、
前記携帯端末は、第１通信手段を介し前記データ制御装置から稼働時間又は日付時刻を入力し、この入力した稼働時間又は日付時刻と前記点検履歴データとを関連付けて前記記憶手段に記憶することを特徴とする建設機械の点検履歴情報管理システム。
【請求項２】
請求項１記載の建設機械の点検履歴情報管理システムにおいて、前記データ制御装置は、建設機械の機種及び号機番号を含む機体情報を記憶し、前記携帯端末は、前記第１通信手段を介し前記データ制御装置から機体情報を取得し、この取得した機体情報と前記点検履歴データとを関連付けて前記記憶手段に記憶することを特徴とする建設機械の点検履歴情報管理システム。
【請求項３】
請求項１記載の建設機械の点検履歴情報管理システムにおいて、前記携帯端末の制御手段は、作業者の指令入力に応じて、前記記憶手段に記憶した点検履歴データを前記表示手段に表示させることを特徴とする建設機械の点検履歴情報管理システム。
【請求項４】
請求項１記載の建設機械の点検履歴情報管理システムにおいて、前記建設機械に対し遠隔地に設けられ、第２通信手段を介し前記携帯端末から点検履歴データを入力して記録する管理サーバをさらに有することを特徴とする建設機械の点検履歴情報管理システム。
【請求項５】
請求項１記載の建設機械の点検履歴情報管理システムにおいて、前記第１通信手段は、前記建設機械の点検部位に対応して設けられ、前記データ制御装置に通信接続した複数の通信コネクタと、前記通信コネクタに着脱可能な通信ケーブルとを備えたことを特徴とする建設機械の点検履歴情報管理システム。
【請求項６】
請求項１記載の建設機械の点検履歴情報管理システムにおいて、前記携帯端末の制御手段は、前記点検項目を作業時期に応じて分類し、作業者の入力した作業時期に対応する点検項目を前記表示手段に表示させることを特徴とする建設機械の点検履歴情報管理システム。
【請求項７】
請求項１記載の建設機械の点検履歴情報管理システムにおいて、前記携帯端末の制御手段は、前記点検項目を作業内容に応じて分類し、作業者の選択入力した作業内容に対応する点検項目を前記表示手段に表示させることを特徴とする建設機械の点検履歴情報管理システム。
【請求項８】
請求項１記載の建設機械の点検履歴情報管理システムにおいて、前記携帯端末の制御手段は、前記点検項目を点検部位に応じて分類し、作業者の選択入力した点検部位に対応する点検項目を前記表示手段に表示させることを特徴とする建設機械の点検履歴情報管理システム。
【請求項９】
請求項１記載の建設機械の点検履歴情報管理システムにおいて、前記入力手段は、前記点検履歴データとして、点検項目に対し点検作業の実施、点検結果の良否、対策内容、及び油脂類等の補充・交換量のうちいずれかを入力することを特徴とする建設機械の点検履歴情報管理システム。
【請求項１０】
請求項９記載の建設機械の点検履歴情報管理システムにおいて、前記携帯端末の制御手段は、点検結果が不良で未対策である点検項目又は点検時期にあるものの未点検である点検項目を抽出して前記表示手段に表示させる機能を有することを特徴とする建設機械の点検履歴情報管理システム。
【請求項１１】
請求項１０記載の建設機械の点検履歴情報管理システムにおいて、前記携帯端末は、前記点検項目の点検時期を設定変更する点検時期変更手段を有することを特徴とする点検履歴情報管理システム。
【請求項１２】
請求項１１記載の建設機械の点検履歴情報管理システムにおいて、前記点検時期変更手段は、点検間隔の基本単位を入力し、この入力した基本単位の倍数が予め設定された点検項目毎の推奨点検時期に近いものを点検時期として設定変更することを特徴とする点検履歴情報管理システム。
【請求項１３】
請求項１記載の建設機械の点検履歴情報管理システムにおいて、前記携帯端末の制御手段は、前記記憶手段に記憶した前回の点検履歴データを読込み、前記点検項目のデータ入力欄と対応する前回の点検履歴データとを同一画面上に表示させることを特徴とする建設機械の点検履歴情報管理システム。
【請求項１４】
請求項１記載の建設機械の点検履歴情報管理システムにおいて、前記携帯端末の制御手段は、予め設定された点検項目以外の発見事項を入力可能な画面を表示手段に表示させ、前記記憶手段は、前記表示手段に表示された前記画面に前記入力手段で入力したデータを発見事項データとして、前記第１通信手段を介し前記データ制御装置から入力した稼働時間又は日付時刻と関連づけて記憶することを特徴とする建設機械の点検履歴情報管理システム。
【請求項１５】
作業者が出入り可能な複数の区画された点検領域を有する建設機械における目視点検の履歴情報を管理する建設機械の点検履歴情報管理システムにおいて、
建設機械に設けられ、稼働時間又は日付時刻を処理するデータ制御装置と、
建設機械の点検項目を表示手段に表示させる制御手段、前記表示手段に表示した点検項目に対するデータを作業者が入力可能な入力手段、及び前記入力手段で入力したデータを点検履歴データとして記憶する記憶手段を備えた携帯端末とを有し、
前記携帯端末は、作業者の通信指令に応じて第１通信手段を介し前記データ制御装置から稼働時間又は日付時刻を入力し、この入力した稼働時間又は日付時刻とその後前記入力手段で入力された前記点検履歴データとを関連付けて前記記憶手段に記憶することを特徴とする建設機械の点検履歴情報管理システム。
【発明の詳細な説明】
【技術分野】
【０００１】
本発明は、油圧ショベル等の建設機械に係わり、建設機械の点検履歴情報を管理するのに好適な建設機械の点検履歴情報管理システムに関する。
【背景技術】
【０００２】
従来、油圧ショベル等の建設機械の点検作業においては、例えば建設機械のメーカやサービス会社等に所属する作業者が所定の点検用紙（チェックリスト）を持って現場に赴き、各項目に対する点検結果を書き入れ、点検用紙を持ち帰ってから点検結果を端末で打ち込み、管理サーバに入力していた。そのため、点検用紙への記入作業及び端末での入力作業を行うので手間がかかり、効率的ではなかった。そこでこれに対応するため、例えば、油圧ショベルの点検結果を入力可能でかつその入力情報を送信可能な携帯電話機と、メーカやサービス会社等に設置され、携帯電話機と送受信可能な管理サーバとを備えた建設機械の点検情報送受信システムが提唱されている（例えば、特許文献１参照）。【０００３】
【特許文献１】特開２００２−３２５０６０号公報
【発明の開示】
【発明が解決しようとする課題】
【０００４】
例えば広大な作業現場での土石掘削作業に供される大型の油圧ショベルは、生産性向上のため一般的に運続稼働されている。そして、例えば油圧ショベルに異常が発生すると、その異常の度合いによっては、長期間運転を休止し生産計画の運用を変更しなければならない。そこで、例えば油圧ショベルに複数のセンサ類及びこれらセンサ類からの検出データを処理し記憶するデータ制御装置等を設け、このデータ制御装置に記憶した検出データを参照して故障診断を行い、これによって油圧ショベルの休止時間を低減させる方法が知られている。また、目視確認でなければ検出できない油圧ショベルの不具合等もあり、このような不具合を油圧ショベルの故障前に発見したい等の理由から、油圧ショベルの点検作業も重要視され、その点検項目及び点検頻度が比較的多くなっている。さらに、油圧ショベルの異常発生時の検出データを点検履歴データとの時間関係から判断して、故障診断を行うことが可能である。詳しく説明すると、例えばオーバーヒート等の異常が発生した場合、その直前にラジエータの点検結果が良好である点検履歴データがあれば、ラジエータ以外の機器に原因がある可能性が高いと判断することができる。これにより、ラジエータ以外の機器に関連する検出データを参照して故障診断すればよいので、故障診断をより迅速により的確に行うことができる。【０００５】
ところで、上記従来技術においては、点検履歴データの時間情報を取得する方法が明確に記載されていない。そのため、改善の余地があった。すなわち、例えば携帯電話機の日付時刻を基準にして点検履歴データを作成するような場合、油圧ショベル側の日付時刻と携帯電話機側の日付時刻とが何らかの理由でずれてしまうと、油圧ショベルの異常発生時と点検履歴データとの時間関係を正確に判断することができない可能性があった。また、例えば油圧ショベルの表示計等に表示された稼働時間を入力して点検履歴データを作成するような場合、作業者によって入力ミスやバラツキが生じる可能性があり、同様に、油圧ショベルの異常発生時と点検履歴データとの時間関係を正確に判断することができない可能性があった。【０００６】
本発明の第１の目的は、点検履歴データの時間情報の信頼性を高めることができる建設機械の点検履歴情報管理システムを提供することにある。【０００７】
本発明の第２の目的は、建設機械の異常発生時との時間関係をより正確に判断することができる点検履歴データを作成する建設機械の履歴情報管理システムを提供することにある。
【課題を解決するための手段】
【０００８】
（１）上記目的を達成するために、本発明は、建設機械に設けられ、稼働時間又は日付時刻を処理するデータ制御装置と、建設機械の点検項目を表示手段に表示させる制御手段、前記表示手段に表示した点検項目に対するデータを作業者が入力可能な入力手段、及び前記入力手段で入力したデータを点検履歴データとして記憶する記憶手段を備えた携帯端末とを有し、前記携帯端末は、第１通信手段を介し前記データ制御装置から稼働時間又は日付時刻を入力し、この入力した稼働時間又は日付時刻と前記点検履歴データとを関連付けて前記記憶手段に記憶する。【０００９】
本発明においては、建設機械は、稼働時間又は日付時刻を処理するデータ制御装置を備えており、例えば建設機械の点検作業を行う際、携帯端末を第１通信手段を介しデータ制御装置に通信接続させ、データ制御装置から携帯端末に稼働時間又は日付時刻を入力する。そして、作業者が携帯端末の表示手段に表示した点検項目に対するデータ（詳細には、例えば点検作業の実施、点検結果の良否、対策内容、及び油脂類の補充・交換量等のうちいずれか）を入力手段で入力すると、その入力データが点検履歴データとして建設機械の稼働時間又は日付時刻と関連付けられて記憶手段に記憶される。そして、作業者は必要に応じて、携帯端末の記憶手段に記憶した点検履歴データを例えば表示手段に表示させたり、第２通信手段を介し管理サーバに出力する。【００１０】
このように本発明においては、携帯端末は、建設機械のデータ制御装置から稼働時間又は日付時刻等の時間情報を取得し、この取得した建設機械の時間情報と点検履歴データとを関連付けて記憶することができる。これにより、例えば携帯端末に時間情報を手入力する場合に比べ、点検履歴データの時間情報の信頼性を高めることができる。また、建設機械の時間情報を基準とすることにより、建設機械の異常発生時と点検履歴データとの時間関係をより正確に判断することができ、これによって建設機械の故障診断をより迅速により的確に行うことができる。【００１１】
（２）上記（１）において、好ましくは、前記データ制御装置は、建設機械の機種及び号機番号を含む機体情報を記憶し、前記携帯端末は、前記第１通信手段を介し前記データ制御装置から機体情報を取得し、この取得した機体情報と前記点検履歴データとを関連付けて前記記憶手段に記憶する。【００１２】
（３）上記（１）において、好ましくは、前記携帯端末の制御手段は、作業者の指令入力に応じて、前記記憶手段に記憶した点検履歴データを前記表示手段に表示させる。【００１３】
（４）上記（１）において、好ましくは、前記建設機械に対し遠隔地に設けられ、第２通信手段を介し前記携帯端末から点検履歴データを入力して記録する管理サーバをさらに有する。【００１４】
（５）上記（１）において、好ましくは、前記第１通信手段は、前記建設機械の点検部位に対応して設けられ、前記データ制御装置に通信接続した複数の通信コネクタと、前記コネクタに着脱可能な通信ケーブルとを備える。【００１５】
これにより、建設機械の点検部位に応じて携帯端末を持ち運び通信ケーブルを介し通信コネクタに接続し、データ制御装置からの稼働時間又は日付時刻等を携帯端末に入力することが可能である。したがって、点検作業を行う点検部位の近傍で携帯端末のデータ入力作業を行うことができ、作業効率を向上させることができる。【００１６】
（６）上記（１）において、好ましくは、前記携帯端末の制御手段は、前記点検項目を作業時期に応じて分類し、作業者の入力した作業時期に対応する点検項目を前記表示手段に表示させる。【００１７】
（７）上記（１）において、好ましくは、前記携帯端末の制御手段は、前記点検項目を作業内容に応じて分類し、作業者の選択入力した作業内容に対応する点検項目を前記表示手段に表示させる。【００１８】
（８）上記（１）において、好ましくは、前記携帯端末の制御手段は、前記点検項目を点検部位に応じて分類し、作業者の選択入力した点検部位に対応する点検項目を前記表示手段に表示させる。【００１９】
（９）上記（１）において、好ましくは、前記入力手段は、前記点検履歴データとして、点検項目に対し点検作業の実施、点検結果の良否、対策内容、及び油脂類等の補充・交換量のうちいずれかを入力する。【００２０】
（１０）上記（９）において、好ましくは、前記携帯端末の制御手段は、点検結果が不良で未対策である点検項目又は点検時期にあるものの未点検である点検項目を抽出して前記表示手段に表示させる機能を有する。【００２１】
（１１）上記（１０）において、好ましくは、前記携帯端末は、前記点検項目の点検時期を設定変更する点検時期変更手段を有する。【００２２】
（１２）上記（１１）において、好ましくは、前記点検時期変更手段は、点検間隔の基本単位を入力し、この入力した基本単位の倍数が予め設定された点検項目毎の推奨点検時期に近いものを点検時期として設定変更する。【００２３】
（１３）上記（１）において、好ましくは、前記携帯端末の制御手段は、前記記憶手段に記憶した前回の点検履歴データを読込み、前記点検項目のデータ入力欄と対応する前回の点検履歴データとを同一画面上に表示させる。【００２４】
（１４）上記（１）において、好ましくは、前記携帯端末の制御手段は、予め設定された点検項目以外の発見事項を入力可能な画面を表示手段に表示させ、前記記憶手段は、前記表示手段に表示された前記画面に前記入力手段で入力したデータを発見事項データとして、前記第１通信手段を介し前記データ制御装置から入力した稼働時間又は日付時刻と関連づけて記憶する。【００２５】
（１５）上記目的を達成するために、また本発明は、作業者が出入り可能な複数の区画された点検領域を有する建設機械における目視点検の履歴情報を管理する建設機械の点検履歴情報管理システムにおいて、建設機械に設けられ、稼働時間又は日付時刻を処理するデータ制御装置と、建設機械の点検項目を表示手段に表示させる制御手段、前記表示手段に表示した点検項目に対するデータを作業者が入力可能な入力手段、及び前記入力手段で入力したデータを点検履歴データとして記憶する記憶手段を備えた携帯端末とを有し、前記携帯端末は、作業者の通信指令に応じて第１通信手段を介し前記データ制御装置から稼働時間又は日付時刻を入力し、この入力した稼働時間又は日付時刻とその後前記入力手段で入力された前記点検履歴データとを関連付けて前記記憶手段に記憶する。
【発明の効果】
【００２６】
本発明によれば、点検履歴データの時間情報の信頼性を高めることができる。また、建設機械の異常発生時と点検履歴データとの時間関係をより正確に判断することができる。
【図面の簡単な説明】
【００２７】
【図１】本発明の建設機械の点検履歴情報管理システムの一実施形態の適用対象である超大型の油圧ショベルの全体構造を表す側面図である。
【図２】本発明の建設機械の点検履歴情報管理システムの一実施形態が適用された油圧ショベルの旋回体における機器配置を表す平面図である。
【図３】本発明の建設機械の点検履歴情報管理システムの一実施形態を油圧ショベルのコントローラネットワークの概略構成とともに表す図である。
【図４】本発明の建設機械の点検履歴情報管理システムの一実施形態を構成する携帯端末の機能構成を表すブロック図である。
【図５Ａ】携帯端末において点検入力プログラムを起動したときのモニタに表示されるメイン画面の遷移を表す図である。
【図５Ｂ】携帯端末において点検入力プログラムを起動したときのモニタに表示されるメイン画面の遷移を表す図である。
【図６】携帯端末のモニタに表示される入力用のキーボードダイアログ画面を表す図である。
【図７Ａ】携帯端末のモニタに表示される日常点検の入力画面の遷移を表す図である。
【図７Ｂ】携帯端末のモニタに表示される週間点検入力画面を表す図である。
【図７Ｃ】携帯端末のモニタに表示される補充・交換量入力画面を表す図である。
【図８】携帯端末のモニタに表示される対策内容入力画面を表す図である。
【図９】携帯端末のモニタに表示される入力用のテンキーダイアログ画面を表す図である。
【図１０Ａ】携帯端末のモニタに表示される月間点検の入力画面の遷移を表す図である。
【図１０Ｂ】携帯端末のモニタに表示される月間点検入力画面を表す図である。
【図１１】携帯端末のモニタに表示される未対策・未点検の入力画面を表す図である。
【図１２】未対策・未点検入力画面に表示する点検項目の抽出処理の制御内容を表すフローチャートである。
【図１３】携帯端末のモニタに表示される補充量の入力画面を表す図である。
【図１４】携帯端末のモニタに表示される機体情報表示画面を表す図である。
【図１５】携帯端末において点検履歴表示プログラムを起動したときのモニタに表示されるメイン画面を表す図である。
【図１６Ａ】携帯端末のモニタに表示される日常点検の履歴表示画面の遷移を表す図である。
【図１６Ｂ】携帯端末のモニタに表示される週間点検履歴表示画面を表す図である。
【図１６Ｃ】携帯端末のモニタに表示される補充・交換量表示画面を表す図である。
【図１７】携帯端末のモニタに表示される月間点検の点検履歴表示画面の遷移を表す図である。
【図１８】携帯端末のモニタに表示される補充量の入力画面を表す図である。
【図１９】携帯端末において点検インターバル設定プログラムを起動したときのモニタに表示される画面の遷移を表す図である。
【図２０】携帯端末においてオプション設定プログラムを起動したときのモニタに表示される画面を表す図である。
【図２１】本発明の建設機械の点検履歴情報管理システムの一実施形態を構成する情報ネットワークの概略構成を一例として表す概略図である。
【図２２】携帯端末のモニタに表示される発見事項入力画面を表す図である。
【図２３】携帯端末のモニタに表示される位置入力リストの内容を表す図である。
【図２４】携帯端末のモニタに表示される部位入力リストの内容を表す図である。
【図２５】携帯端末のモニタに表示される依頼作業入力画面を表す図である。
【符号の説明】
【００２８】
１                      油圧ショベル
３０                    データ記録装置（データ制御装置）
３２Ａ，３２Ｂ，３２Ｃ  通信コネクタ（第１通信手段）
３３Ａ，３３Ｂ          通信ケーブル（第１通信手段）
３４                    携帯端末
３５                    保存デバイス（記憶手段）
３６                    ＣＰＵ（制御手段）
３８                    モニタ（表示手段）
４１                    タブレット（入力手段）
４３                    管理サーバ
９９                    通信ケーブル（第２通信手段）
【発明を実施するための最良の形態】
【００２９】
以下、本発明の一実施形態を、図面を参照しつつ説明する。
図１は、本発明の建設機械の点検履歴情報管理システムの一実施形態の適用対象である超大型の油圧ショベルの全体構造を表す側面図であり、図２は、油圧ショベルの旋回体における機器配置を表す平面図である。なお、図２において、後述のコントローラネットワークの機器は、ハッチングして図示している。【００３０】
これら図１及び図２において、油圧ショベル１は、例えば海外の鉱山等において用いられることの多い２エンジン型の機体重量数百トンクラスの超大型ショベルであり、左・右の無限軌道履帯（クローラ）２を備えた走行体３と、この走行体３上に旋回可能に設けた旋回体４と、この旋回体４の前部中央に上下方向に回動可能に（俯仰動可能に）設けたフロント作業機（掘削作業装置）５と、旋回体４の左右両側に設けられ各種機器（詳細は後述）を収納する建屋６Ａ，６Ｂと、左側建屋６Ａの上部前方側に設けた運転室７と、旋回体４の後部に取り付けたカウンタウエイト８とを備えている。【００３１】
走行体３は、略Ｈ字形状のトラックフレーム９と、このトラックフレーム９の左右両側の後端近傍にそれぞれ回転可能に支持された左・右の駆動輪１０と、これら駆動輪１０をそれぞれ駆動する左・右の走行用油圧モータ（図示せず）と、トラックフレーム９の左右両側の前端近傍にそれぞれ回転可能に支持され、履帯２を介し駆動輪１０の駆動力でそれぞれ回転される左・右の従動輪（アイドラ）１１とを備えている。【００３２】
走行体３と旋回体４との間には旋回輪（旋回台軸受）１２が設けられ、この旋回輪１２の内周側には旋回用油圧モータ（図示せず）が配設されており、旋回用油圧モータの駆動によって旋回体４は走行体３に対し旋回するようになっている。【００３３】
フロント作業機５は、例えばローダタイプであり、旋回体３に回動可能に設けたブーム１３と、このブーム１３の先端に回動可能に設けたアーム１４と、このアーム１４の先端に回動可能に設けたバケット１５とで構成されている。そして、ブーム１３、アーム１４、及びバケット１５は、それぞれブーム用油圧シリンダ１６、アーム用油圧シリンダ１７、及びバケット用油圧シリンダ１８の伸縮により動作する。【００３４】
建屋６Ａ，６Ｂには、エンジン１９と、エンジン１９の後方側に配置されたラジエータ２０と、エンジン１９の前方側に配置された油圧ポンプ２１とが収納されている。油圧ポンプ２１は、エンジン１９によって駆動され、複数の油圧アクチュエータ（詳細には、上記走行用油圧モータ、旋回用油圧モータ、ブーム用油圧シリンダ１６、アーム用油圧シリンダ１７、及びバケット用油圧シリンダ１８等）に圧油を供給するようになっている。【００３５】
建屋６Ａ，６Ｂの間には、エンジン１９の燃料を貯留する燃料タンク２２と、油圧ポンプ２１の作動油を貯留する作動油タンク２３とが配設されている。また、作動油タンク２３の前方側には、運転室７内の操作レバー（図示せず）の操作に応じて油圧ポンプ２１から上記油圧アクチュエータへの圧油の流れをそれぞれ制御する複数のコントロールバルブ２４が配設されている。また、右側建屋６Ｂの前方側領域には、上記油圧アクチュエータからの戻り油を冷却するオイルクーラ２５と、フロント作業機５の可動域や旋回輪１２等に潤滑油を給脂する給脂装置（図示せず）とが配設されている。【００３６】
以上のように構成された油圧ショベル１には、各部位の稼働状態に係わるデータ（以下、単に稼働データという）を収集するためのコントローラネットワーク２６が搭載されている。図３は、コントローラネットワーク２６の概略構成を、本発明の建設機械の点検履歴情報管理システムの一実施形態とともに表す図である。【００３７】
この図３及び前述の図２において、コントローラネットワーク２６は、エンジンモニタ装置２７Ａ，２７Ｂ等を接続した第１ネットワーク２８Ａと、車体制御装置２９等を接続した第２ネットワーク２８Ｂと、これらネットワーク２８Ａ，２８Ｂに接続されたデータ記録装置（データ制御装置）３０とを備えている。【００３８】
エンジンモニタ装置２７Ａ，２７Ｂは、２つのエンジン１９を制御するエンジン制御装置３１Ａ，３１Ｂにそれぞれ接続されている。エンジン制御装置３１Ａ，３１Ｂは、詳細は図示しないが、例えば回転数センサで検出したエンジン回転数及び位置センサで検出したガバナのラック位置等が入力され、燃料噴射装置を制御してエンジン１９の燃料噴射量をそれぞれ制御するようになっている。また、エンジンモニタ装置２７Ａ，２７Ｂは、詳細は図示しないが、例えば圧力センサで検出したエンジン１９のブローバイ圧や温度センサで検出したラジエータ２０の冷却水温度等がそれぞれ入力されるようになっている。そして、エンジン制御装置３１Ａ，３１Ｂ及びエンジンモニタ装置２７Ａ，２７Ｂに入力されたエンジン１９の稼働状態に係わる稼働データ（以下、エンジン関連データという）は、第１ネットワーク２８Ａを介しデータ記録装置３０に出力されるようになっている。【００３９】
車体制御装置２９は、油圧ショベル１の車体に係わる制御を行うと共にその車体に係わる稼働データを検出する。詳細は図示しないが、例えば回転数センサで検出したエンジン回転数を入力し、このエンジン回転数に基づいて油圧ポンプ２１の入力トルクの合計がエンジン１９の出力トルク以下になるように油圧ポンプ２１の吐出流量を制御するいわゆる全馬力制御を行う。また、油温センサで検出した作動油の温度を入力し、この作動油温度が一定となるようにオイルクーラ２５用の冷却ファンモータの制御等を行う。また、エンジン１９の駆動を操作するキースイッチ（図示せず）のＯＮ・ＯＦＦ信号等も入力される。そして、車体制御装置２９等に入力された油圧ショベル１の車体に係わる稼働データ（以下、車体関連データという）は、第２ネットワーク２８Ｂを介しデータ記録装置３０に出力されるようになっている。【００４０】
データ記録装置３０は、上述したエンジン関連データ及び車体関連データを入力して記録するようになっている。また、エンジン１９が稼動中であるかどうかを判断し（例えばエンジン回転数に関するデータを読み込んでこれが所定の回転数以上になっているかどうかで判断してもよいし、キースイッチのＯＮ・ＯＦＦに関するデータを読み込んでこれがＯＮになっているかどうかで判断してもよい）、タイマの時間情報を利用してエンジン１９の稼動時間（アワーメータ）を演算し、ＧＰＳ装置（図示せず）の時刻により常に補正されている日付時刻（世界標準時間）と関連付けて記録するようになっている。なお、データ記録装置３０には、油圧ショベル１の納品時の稼働時間初期値が記録される。【００４１】
また、コントローラネットワーク２６には、複数の通信コネクタ３２Ａ，３２Ｂ，３２Ｃが設けられている。通信コネクタ３２Ａは、データ記録装置３０に接続され、データ制御装置３０とともに運転室７内に配置されている。また、複数（図２では８つ）の通信コネクタ３２Ｂは、第１ネットワーク２８Ａに接続され、エンジンモニタ装置２７Ａ，２７Ｂとともに建屋６Ａ，６Ｂのエンジン室内にそれぞれ配置されている。また、複数（図２では４つ）の通信コネクタ３２Ｃは、第２ネットワーク２８Ｂに接続され、車体制御装置２９とともに建屋６Ａ，６Ｂのポンプ室内にそれぞれ配置されている。そして、本実施形態の大きな特徴として、通信コネクタ３２Ａに着脱可能な通信ケーブル３３Ａ、又は複数の通信コネクタ３２Ｂ，３２Ｃに着脱可能な通信ケーブル３３Ｂを介し通信接続可能な携帯端末３４が備えられている。この携帯端末３４は、主として、油圧ショベル１の点検作業における複数の点検項目に対しデータ（詳細には、例えば点検作業の実施、点検結果の良否、対策内容、及び油脂類の補充・交換量等）を入力し、点検履歴データを作成するためのものである。【００４２】
次に、本実施形態の要部である携帯端末３４の詳細機能を説明する。図４は、携帯端末３４の機能構成を表すブロック図である。【００４３】
この図４において、携帯端末３４は、例えばタブレット型のパソコンであり、制御プログラムや点検履歴データ等を記憶する保存デバイス３５（記憶手段）と、この保存デバイス３５に記憶した制御プログラムに基づいて演算処理するＣＰＵ３６（制御手段）と、このＣＰＵ３６で演算処理したデータを一次記憶するＲＡＭ３７と、モニタ３８（表示手段）と、モニタ３８に表示信号を出力する表示インターフェイス３９と、このモニタ３８の前面に設けられ、作業者が操作するペン４０の接触を感知するタブレット４１（入力手段）と、上記通信ケーブル３３を介しデータ記録装置３０からのデータを入力する通信インターフェイス４２と、後述する管理サーバ４３等（図２１参照）との間でデータを入出力する通信インターフェイス４４とを備えている。【００４４】
携帯端末３４の保存デバイス３５は、制御プログラム（詳細には、点検入力プログラム、点検履歴表示プログラム、点検インターバル設定プログラム、及びオプション設定プログラム等）を記憶するプログラム保存領域３５ａと、点検入力プログラムによって作成した点検履歴データ（詳細には、日常点検履歴、週間点検履歴、月間点検履歴、依頼作業履歴、対策履歴、油脂類の補充・交換履歴、及び発見事項等）や点検インターバル設定プログラム及びオプション設定プログラムによって設定した設定データ等を記憶するデータ保存領域３５ｂとが設けられている。なお、本実施形態では、点検入力プログラムは点検作業を行う作業者のみが起動可能、点検インターバル設定プログラム及びオプション設定プログラムは例えば設定変更等の権限を有する管理者のみが起動可能、点検履歴表示プログラムは作業者及び管理者が起動可能に設定されている。各制御プログラムによる制御処理内容の詳細を以下説明する。【００４５】
（１）点検入力
図５Ａ及び図５Ｂは、点検入力プログラムを起動したときのモニタ３８に表示されるメイン画面の遷移を表す図である。【００４６】
これら図５Ａ及び図５Ｂにおいて、点検入力プログラムが起動すると、モニタ３８に通信条件入力画面４５が表示される。通信条件入力画面４５は、通信ポートの入力欄４５ａ、通信速度の入力欄４５ｂ、進行ボタン４５ｃ、通信ボタン４５ｄ、及び終了ボタン４５ｅを備えている。【００４７】
通信ポート入力欄４５ａ及び通信速度入力欄４５ｂの右側には、リスト表示ボタン４５ｆ，４５ｇが設けられている。作業者がリスト表示ボタン４５ｆ，４５ｇを操作すると（詳細には、ペン４０を画面表示領域に接触操作すると、以降同様）、複数の入力用語を一覧表示した入力リスト（図示せず）が表示されるようになっている。具体的には、作業者がリスト表示ボタン４５ｆを操作すると、例えば「COM1」、「COM2」、…を一覧表示した入力リスト（図示せず）が表示され、作業者が入力リスト上の例えば「COM1」を選択操作すると、入力リストが閉じられ通信ポート入力欄４５ａに「COM1」が入力される。また、作業者が入力リスト表示ボタン４５ｇを操作すると、例えば「14,400bps」、「28,800bps」、…を一欄表示した入力リスト（図示せず）が表示され、作業者が入力リスト上の例えば「14,400bps」を選択操作すると、入力リストが閉じられ通信速度入力欄４５ｂに「14,400bps」が入力される。【００４８】
そして、作業者が通信条件入力画面４５の通信ボタン４５ｄを操作すると、通信ポート入力欄４５ａ及び通信速度入力欄４５ｂに入力した通信条件でデータ記録装置３０と携帯端末３４との間の通信が開始されるとともに、機体情報入力画面４６に切り替えられる。このとき、油圧ショベル１の機種、号機番号、納品時の稼働時間初期値、通信開始時に取得した稼働時間及び日付時刻（世界標準時間）等のデータがデータ記録装置３０から携帯端末３４に入力される。なお、例えばデータ記録装置３０と携帯端末３４との間で何らかの理由で通信ができない場合、作業者が通信条件入力画面４５の進行ボタン４５ｃを操作すると、未通信状態で表示画面が切り替えられる。また、例えば通信条件入力画面４５の終了ボタン４５ｅを入力すると、点検入力プログラムが終了するようになっている。【００４９】
機体情報入力画面４６は、顧客コードの入力欄４６ａ、油圧ショベル１の機種の表示欄４６ｂ、油圧ショベル１の号機番号の表示欄４６ｃ、油圧ショベル１の稼働時間の表示欄４６ｄ、フロント作業機５の種類の入力欄４６ｅ、エンジン１９の識別番号の入力欄４６ｆ，４６ｇ、油圧ショベル１の納入日の入力欄４６ｈ、及び実行ボタン４６ｉを備えている。機種表示欄４６ｂ、号機番号表示欄４６ｃ、及び稼働時間表示欄４６ｄには、データ記録装置３０から取得したデータ（油圧ショベル１の機種、号機番号、通信開始時の稼働時間）が表示される。【００５０】
また、フロント作業機種類入力欄４６ｅの右側には、リスト表示ボタン４６ｊが設けられている。作業者がリスト表示ボタン４６ｊを操作すると、例えば「loader」、「backhoe」、…を一覧表示した入力リスト（図示せず）が表示され、作業者が入力リスト上の例えば「loader」を選択操作すると、入力リストが閉じられフロント作業種類入力欄４６ｅに「loader」が入力される。【００５１】
また、顧客コード入力欄４６ａ及びエンジン識別番号入力欄４６ｆ，４６ｇの右側には、キーボード表示ボタン４６ｋがそれぞれ設けられており、作業者がキーボード表示ボタン４６ｋを操作すると、図６に示すキーボードダイアログ画面４７が表示されるようになっている。キーボードダイアログ画面４７は、「０」〜「９」及び「Ａ」〜「Ｚ」等の複数の入力ボタン４７ａと、入力ボタン４７ａの操作による入力文字を表示する表示欄４７ｂと、この表示欄４７ｂに表示した全文字を消すための全消ボタン４７ｃと、最終文字を消すための一字消ボタン４７ｄと、実行ボタン４７ｅ等を備えている。そして、作業者がキーボードダイアログ画面４７の入力ボタン４７ａの操作により表示欄４７ｂに入力文字を表示させた後、実行ボタン４７ｅを操作すると、キーボードダイアログ画面４７が閉じられ、顧客コード入力欄４６ａ、エンジン識別番号入力欄４６ｆ，４６ｇに文字データが入力される。【００５２】
また、納入日入力欄４６ｈの右側には、カレンダ表示ボタン４６ｌが設けられており、作業者がカレンダ表示ボタン４６ｌを操作すると、カレンダダイアログ画面（図示せず）が表示されるようになっている。このカレンダダイアログ画面は、例えば年月毎の日付を一覧表示するとともに、その年月を前後に切換えられるようになっている。そして、作業者がカレンダダイアログ画面上の年月日を選択入力すると、カレンダダイアログ画面が閉じられ納入日入力欄４６ｈに日付データが（例えば年／月／日の表示形態で）入力される。【００５３】
そして、作業者が機体情報入力画面４６の実行ボタン４６ｉを操作すると、機体データ（詳細には、上述した顧客コード、油圧ショベル１の機種、号機番号、納品時の稼働時間初期値、フロント作業機５の種類、エンジン１９の識別番号、納入日）が保存デバイス３５に記憶されるとともに、点検情報入力画面４８に切り替えられる。なお、機体データが保存デバイス３５に記憶された以降は、機体情報入力画面４６はスキップされるようになっている。すなわち、作業者が通信条件入力画面４５の通信ボタン４５ｄを操作したときに、データ記録装置３０から取得した号機番号が保存デバイス３５に記憶された機体データに含まれているかどうか照合し、該当する機体データがある場合はその機体データを読込むとともに、点検情報入力画面４８に切り替えられる。【００５４】
点検情報入力画面４８は、顧客コードの表示欄４８ａ、機種表示欄４８ｂ、号機番号表示欄４８ｃ、稼働時間表示欄４８ｄ、点検作業日時の表示欄４８ｅ、点検作業者の名前の入力欄４８ｆ、及び実行ボタン４８ｇを備えている。顧客コード表示欄４８ａ、機種表示欄４８ｂ、号機番号表示欄４８ｃ、及び稼働時間表示欄４８ｄは、保存デバイス３５に記憶した機体データの一部（顧客コード、油圧ショベル１の機種、号機番号）及び通信開始時の稼働時間が表示される。また、点検作業日時表示欄４８ｅは、データ記録装置３０から取得した通信開始時の日付時刻（世界標準時間）が地域時間（詳細は、後述のオプション設定プログラムにて説明）に換算されて表示される。【００５５】
また、名前入力欄４８ｆの右側には、キーボード表示ボタン４８ｈとリスト表示ボタン４８ｉが設けられている。作業者がキーボード表示ボタン４８ｈを操作すると、上記キーボードダイアログ画面４７が表示され、上述したキーボードダイアログ画面４７上の操作により名前入力欄４８ｆに名前が入力される。あるいは作業者がリスト表示ボタン４８ｉを操作すると、複数の名前（例えば予め設定され又は以前入力され記憶された名前）を一覧表示した入力リスト（図示せず）が表示され、作業者が入力リスト上の名前を選択操作すると、入力リストが閉じられ名前入力欄４８ｆに名前が入力される。【００５６】
そして、作業者が点検情報入力画面４８の実行ボタン４８ｇを操作すると、点検作業データ（詳細には、上述した通信開始時の稼働時間及び日付時刻（世界標準時間）、点検作業者の名前）が保存デバイス３５に記憶されるととともに、点検入力メインメニュー画面４９に切り替えられる。【００５７】
点検入力メインメニュー画面４９は、基本情報表示領域５０と、メニュー表示領域５１とで構成されている。基本情報表示領域５０は、顧客コード表示欄５０ａ、機種情報表示欄５０ｂ、号機番号表示欄５０ｃ、稼働時間表示欄５０ｄ、点検作業日時表示欄５０ｅ、及び名前表示欄５０ｆを備えており、上述した機体データの一部及び点検作業データが表示される。メニュー表示領域５１は、機体情報ボタン５１ａ、日常・週間点検ボタン５１ｂ、月間点検ボタン５１ｃ、未対策・未点検ボタン５１ｄ、補充ボタン５１ｅ、依頼作業ボタン５１ｇ、及び終了ボタン５１ｆを備えている。【００５８】
点検入力メインメニュー画面４９の日常・週間点検ボタン５１ａを操作すると、図７Ａに示す日常・週間点検入力メニュー画面５２に切り替えられる。日常・週間点検入力メニュー画面５２は、基本情報表示領域５０と、メニュー表示領域５３とで構成されている。メニュー表示領域５３は、日常点検ボタン５３ａ、週間点検ボタン５３ｂ、補充・交換量ボタン５３ｃ、発見事項ボタン５３ｅ、及びメインメニューボタン５３ｄを備えている。【００５９】
作業者が日常・週間点検入力メニュー画面５２の日常点検ボタン５３ａを操作すると、日常点検入力画面５４に切り替えられる。日常点検入力画面５４は、基本情報表示領域５０、点検入力領域５５、実行ボタン５４ａ、及び発見事項ボタン５４ｂを備えている。点検入力領域５５には、日毎（例えば油圧ショベル１の稼働時間で１０時間毎、実際には油圧ショベル１のオペレータの交代時）に行う点検項目が表示される。【００６０】
また、作業者が日常・週間点検入力メニュー画面５２の週間点検ボタン５３ｂを操作すると、週間点検入力画面５６に切り替えられる（図７Ｂ参照）。週間点検入力画面５６は、基本情報表示領域５０、点検入力領域５７、実行ボタン５６ａ、及び発見事項ボタン５６ｂを備えている。点検入力領域５７には、週毎（例えば油圧ショベルの稼働時間で５０時間毎）に行う点検項目が表示される。【００６１】
日常点検入力画面５４の点検入力領域５５及び週間点検入力画面５６の点検入力領域５７は、作業内容（例えば清掃作業、廃油作業、給脂作業、レベル検査、目視検査等）に応じて分類した点検項目をそれぞれ一覧表示する複数のシート５８をそれぞれ備えており、作業内容が記載された各シート５８のタブ５８ａを操作すると、対応するシート５８が選択されて表示されるようになっている。シート５８には、点検項目毎に、項目番号ボタン５８ｂ、項目内容表示欄５８ｃ、データ入力欄５８ｄ、及び前回データの表示欄５８ｅが設けられている。操作者が項目番号ボタン５８ｂを操作すると、対応する点検部位の表示画面（例えば点検部位の位置を表す油圧ショベル１の全体図又は部分拡大図、図示せず）が表示されるようになっている。これにより、作業者は点検部位を確認しつつ点検作業を行える。【００６２】
そして、作業者は前回データ表示欄５８ｅを参照しつつ、データ入力欄５８ｄのデータ入力が行えるようになっている。作業実施のみのデータを入力する点検項目（例えば清掃作業等に関する点検項目）には、「YES」ボタン５８ｆが設けられている。作業者が「YES」ボタン５８ｆを操作すると、作業実施を意味する「YES」がデータ入力欄５８ｄに入力される。また、点検結果の良否等のデータを入力する点検項目（例えばレベル検査等に関する点検項目）には、「OK」ボタン５８ｇ、「NG」ボタン５８ｈ、及び「ACT」ボタン５８ｉが設けられている。作業者が「OK」ボタン５８ｇを操作すると、点検結果の良好を意味する「OK」がデータ入力欄５８ｄに入力され、「NG」ボタン５８ｈを操作すると、点検結果が不良で未対策であることを意味する「NG」がデータ入力欄５８ｄに入力される。また、例えば点検結果が不良で何かしらの対策を実施した場合に作業者が「ACT」ボタン５８ｉを操作すると、図８に示す対策内容入力画面５９が表示されるようになっている。【００６３】
対策内容入力画面５９は、対策内容の入力欄５９ａ及び実行ボタン５９ｂを備えている。対策内容入力欄５９ａの右側には、キーボード表示ボタン５９ｃとリスト表示ボタン５９ｄが設けられている。作業者がキーボード表示ボタン５９ｃを操作すると、上記キーボードダイアログ画面４７が表示され、上述したキーボードダイアログ画面４７上の操作により対策内容入力欄５９ａに対策内容が入力される。あるいは作業者がリスト表示ボタン５９ｄを操作すると、例えば「ADJUSTED（調整）」、「REPAIRED（修理）」、「REPLACED（交換）」、及び「REFIELED（補充）」等の対策内容を一覧表示した入力リスト（図示せず）が表示され、作業者が入力リスト上の対策内容を選択操作すると、入力リストが閉じられ対策内容入力欄５９ａに対策内容が入力される。その後、作業者が対策内容入力画面５９の実行ボタン５９ｂを操作すると、点検項目と対策内容入力欄５９ａに入力した対策内容との組み合わせが対策履歴データとして、上記機体データ及び点検作業データと関連付けられて保存デバイス３５に記憶されるとともに、対策内容入力画面５９が閉じられ、対策済であることを意味する「ACT」が上記データ入力欄５８ｄに入力される。なお、データ入力欄５８ｄのブランクは、点検作業が実施されていないことを意味する。【００６４】
そして、作業者が日常点検入力画面５４の実行ボタン５４ａを操作すると、日常点検入力画面５４の点検項目とデータ入力欄５８ｄに入力したデータとの組み合わせが日常点検履歴データとして、上記機体データ及び点検作業データと関連付けられて保存デバイス３５に記憶されるとともに、日常・週間点検入力メニュー画面５２に戻る。また同様に、作業者が週間点検入力画面５６の実行ボタン５６ａを操作すると、週間点検入力画面５６の点検項目とデータ入力欄５８ｄに入力したデータとの組み合わせが週間点検履歴データとして、上記機体データ及び点検作業データと関連付けられて保存デバイス３５に記憶されるとともに、日常・週間点検入力メニュー画面５２に戻る。【００６５】
また、作業者が日常・週間点検入力メニュー画面５２の補充・交換量ボタン５３ｃを操作すると、補充・交換量入力画面６０に切り替えられる（図７Ｃ参照）。補充・交換量入力画面６０は、基本情報表示領域５０、補充・交換量入力領域６１、量単位の表示欄６０ａ、及び実行ボタン６０ｂを備えている。量単位表示欄６０ａには、後述のオプション設定プログラムで設定した単位が表示される。補充・交換量入力領域６１には、補充・交換作業を行う複数の油脂項目（例えばエンジンオイル、ギヤオイル、作動油、水、グリース、燃料等）が表示されており、油脂項目毎に名前表示欄６１ａ、データ入力欄６１ｂ、及び前回データの表示欄６１ｃが設けられている。【００６６】
そして、作業者は前回データ表示欄６１ｃを参照しつつ、データ入力欄６１ｂのデータ入力が行えるようになっている。データ入力欄６１ｂの右側には、テンキー表示ボタン６１ｄが設けられており、作業者がテンキー表示ボタン６１ｄを操作すると、図９に示すテンキーダイアログ画面６２が表示されるようになっている。テンキーダイアログ画面６２は、「０」〜「９」等の複数の入力ボタン６２ａと、入力ボタン６２ａの操作による入力数字を表示する表示欄６２ｂと、この表示欄６２ｂに表示した全数字を消すための全消ボタン６２ｃと、最終数字を消すための一字消ボタン６２ｄと、実行ボタン６２ｅとを備えている。そして、作業者がテンキーダイアログ画面６２の入力ボタン６２ａの操作により表示欄６２ｂに入力数字を表示させた後、実行ボタン６２ｅを操作すると、テンキーダイアログ画面６２が閉じられデータ入力欄６１ｂに数量が入力される。【００６７】
そして、作業者が補充・交換量入力画面６０の実行ボタン６０ｂを操作すると、油脂項目とデータ入力欄６１ｂに入力した数量（及び量単位表示欄６０ａに表示された単位）との組み合わせが補充・交換履歴データとして、上記機体データ及び点検作業データと関連付けられて保存デバイス３５に記憶されるとともに、日常・週間点検入力メニュー画面５２に戻る。また、日常・週間点検入力メニュー画面５２のメインメニューボタン５３ｄを操作すると、点検入力メインメニュー画面４９に戻る。【００６８】
また、作業者が日常・週間点検入力メニュー画面５２の発見事項ボタン５３ｅを操作するか、日常点検入力画面５４の発見事項ボタン５４ｂを操作するか、若しくは週間点検入力画面５６の発見事項ボタン５６ｂを操作すると、図２２に示す発見事項入力画面１０３に切り替えられる。また、後述する月間点検入力メニュー画面６３の発見事項ボタン６４ｃ（図１０Ａ参照）を操作するか、若しくは後述する月間点検入力画面６５Ａ，６５Ｂ等の発見事項ボタン６５ｂ（図１０Ａ及び図１０Ｂ参照）を操作するか、後述する未対策・未点検入力画面６８の発見事項ボタン６８ｂ（図１１参照）を操作しても、発見事項入力画面１０３に切り替えられる。発見事項入力画面１０３は、基本情報表示領域５０、発見事項入力領域１０４、戻りボタン１０３ａ、及びメインメニューボタン１０３ｂを備えている。発見事項入力領域１０４は、位置入力欄１０４ａ、部品入力欄１０４ｂ、徴候入力欄１０４ｃ、損傷レベル入力欄１０４ｄ、画像入力欄１０４ｅ、対策入力欄１０４ｆ、交換部品入力欄１０４ｇ、備考入力欄１０４ｈ、一時保存ボタン１０４ｉ、呼出ボタン１０４ｊ、クリアボタン１０４ｋ、及び登録ボタン１０４ｌを備えている。【００６９】
位置入力欄１０４ａの右側には、リスト表示ボタン１０４ｍ及び画像表示ボタン１０４ｎが設けられている。作業者がリスト表示ボタン１０４ｍを操作すると、例えば図２３に示す第１項目の位置を一覧表示した第１入力リストが表示され、作業者が第１入力リスト上の位置を選択操作すると、その選択した第１項目の位置における詳細な位置（第２項目の位置）を一覧表示した第２入力リストが表示され、作業者が第２入力リスト上の位置を選択操作すると、第２入力リストが閉じられ第１項目及び第２項目で選択した位置が場所入力欄１０４ａに入力される。あるいは、作業者が画像表示ボタン１０４ｎを操作すると、油圧ショベルの全体図（図示せず）が表示され、作業者が油圧ショベル全体図における前述した第１項目の位置を選択操作すると、その選択した位置を表す部位拡大図が表示され、作業者が部分拡大図における詳細な位置（前述した第２項目の位置）を選択操作すると、部分拡大図が閉じられ選択した位置が位置入力欄１０４ａに入力される。【００７０】
部品入力欄１０４ｂの右側には、リスト表示ボタン１０４ｏが設けられている。作業者がリスト表示ボタン１０４ｏを操作すると、例えば図２４に示す第１項目の部類を一覧表示した第１入力リストが表示され、作業者が第１入力リスト上の部類（詳細には、電気部品、コンポーネント、又はその他）を選択操作すると、その選択した第１項目の部類に属する部品を一覧表示した第２入力リストが表示され、作業者が第２入力リスト上の部品を選択操作すると、第２入力リストが閉じられ第２項目で選択した部品が部品入力欄１０４ｂに入力される。ただし、作業者が第１入力スト上で第２項目に該当するものがない第１項目の部類（詳細には、ホース、フレーム、溶接部、又はワイヤー）を選択操作した場合は、第２入力リストに遷移することなく第１入力リストが閉じられ、第１項目で選択した部類が部品入力欄１０４ｂに入力される。【００７１】
徴候入力欄１０４ｃの右側には、リスト表示ボタン１０４ｐが設けられている。作業者がリスト表示ボタン１０４ｐを操作すると、例えばスクラッチ、クラック、漏れ、詰まり、破裂、緩み、作動不良、ショート、及び断線等といった内容を一覧表示した入力リストが表示され、作業者がリスト上の内容を選択操作すると、入力リストが閉じられ選択した内容が徴候入力欄１０４ｂに入力される。【００７２】
損傷レベル入力欄１０４ｄは、選択可能な項目として例えば「Heavy（重傷）」、「Light（軽傷）」、「Fair（普通）」、及び「Information Only（情報のみ）」が表示されており、それらのチェックボックスのいずれか１つを選択入力可能にしている。【００７３】
画像入力欄１０４ｅの上側には、画像入力ボタン１０４ｑが設けられている。作業者が画像入力ボタン１０４ｑを操作入力すると、保存デバイス３５に記憶された画像データを選択入力可能な画面（図示せず）が表示され、この画面で選択入力された画像データが画像入力欄１０４ｅに画像表示される。【００７４】
対策入力欄１０４ｆの右側には、対策入力ボタン１０４ｒが設けられている。作業者が対策入力ボタン１０４ｒを操作すると、上記対策内容入力画面５９が表示され、作業者が対策内容入力画面５９の対策内容入力欄５９ａに対策内容を入力した後、実行ボタン５９ｂを操作すると、対策内容入力画面５９が閉じられ対策入力欄１０４ｆに対策内容が入力される。このとき、対策入力欄１０４ｆに「REPLACED（交換）」が入力された場合、上記キーボードダイアログ画面４７が表示され、上述したキーボードダイアログ画面４７上の操作により交換部品入力欄１０４ｇに番号が入力される。【００７５】
備考入力欄１０４ｈの右側には、キーボード表示ボタン１０４ｓが設けられている。操作者がキーボード表示ボタン１０４ｓを操作すると、上記キーボードダイアログ画面４７が表示され、上述したキーボードダイアログ画面４７上の操作により備考入力欄１０４ｈに文字データが入力される。【００７６】
作業者が一時保存ボタン１０４ｉを操作すると、上述した入力欄１０４ａ〜１０４ｈに入力したデータが発見事項データとして、上記機体データ及び点検作業データと関連付けられて保存デバイス３５に一時的に記憶される（なお、この一時記憶された発見事項データは、管理サーバ４３等に出力できない状態にある）。その後、作業者が呼出ボタン１０４ｊを操作すると、一時的に記憶された発見事項データを読み出し、そのデータを入力欄１０４ａ〜１０４ｈに入力するようになっている。また、作業者がクリアボタン１０４ｋを操作すると、入力欄１０４ａ〜１０４ｈがブランクとなるようになっている。また、作業者が登録ボタン１０４ｌを操作すると、入力欄１０４ａ〜１０４ｈに入力したデータが発見事項データとして、上記機体データ及び点検作業データと関連付けられて保存デバイス３５に記憶される（なお、この記憶された発見事項データは、管理サーバ４３等に出力できる状態にある）。【００７７】
そして、作業者が発見事項入力画面１０３の戻りボタン１０３ａを操作すると、前回の画面に戻り、メインメニューボタン１０３ｂを操作すると、点検入力メインメニュー画面４９に戻る。【００７８】
前述の図５Ｂに戻り、作業者が点検入力メインメニュー画面４９の月間点検ボタン５１ｃを操作すると、図１０Ａに示す月間点検入力メニュー画面６３に切り替えられる。月間点検入力メニュー画面６３は、基本情報表示領域５０と、メニュー表示領域６４とで構成されている。メニュー表示領域６４は、例えば５つの作業内容ボタン６４ａ（図１０Ａでは、部品交換ボタン、廃油ボタン、清掃ボタン、外観検査ボタン、給脂ボタン）、上記発見事項ボタン６４ｃ、及びメインメニューボタン６４ｂを備えている。作業者が作業内容ボタン６４ａを操作すると、その作業内容に対応して分類された点検項目を表示する月間点検入力画面（図１０Ａ及び図１０Ｂでは代表して６５Ａ，６５Ｂを図示）に切り替えられる。【００７９】
月間点検入力画面６５Ａ，６５Ｂ等は、基本情報表示領域５０、点検入力領域６６、実行ボタン６５ａ、及び上記発見事項ボタン６５ｂをそれぞれ備えている。点検入力領域６６には、月毎（例えば稼働時間で２５０時間毎若しくは２５０の倍数の時間毎）に行う点検項目が表示されるようになっている。点検入力領域６６は、点検部位（例えばエンジン系、エンジンオイル、ギヤオイル、駆動系、油圧系等）に応じて分類した点検項目をそれぞれ一覧表示する複数のシート６７を備えており、点検部位が記載されたシート６７のタブ６７ａを操作すると、対応するシート６７が選択されて表示されるようになっている。シート６７には、点検項目毎に、項目番号ボタン６７ｂ、項目内容表示欄６７ｃ、データ入力欄６７ｄ、及び前回データの表示欄６７ｅが設けられている。操作者が項目番号ボタン６７ｂを操作すると、対応する点検部位の表示画面（図示せず）が表示されるようになっている。これにより、作業者は点検部位を確認しつつ点検作業を行える。【００８０】
そして、作業者は前回データ表示欄６７ｅを参照しつつ、データ入力欄６７ｄのデータ入力が行えるようになっている。例えば部品交換ボタン６４ａを操作したときに表示される月間点検入力画面６５Ａの点検項目（言い換えれば、作業実施のみのデータを入力する点検項目）には、「YES」ボタン６７ｆが設けられている。作業者が「YES」ボタン６７ｆを操作すると、データ入力欄６７ｄに「YES」が入力される。また、例えば外観検査ボタン６４ａを操作したときに表示される月間点検入力画面６５Ｂの点検項目（言い換えれば、点検結果の良否等のデータを入力する点検項目）には、「OK」ボタン６７ｇ、「NG」ボタン６７ｈ、及び「ACT」ボタン６７ｉが設けられている。作業者が「OK」ボタン６７ｇを操作すると、データ入力欄６７ｄに「OK」が入力され、「NG」ボタン６７ｈを操作すると、データ入力欄６７ｄに「NG」が入力される。また、例えば点検結果が不良で何かしらの対策を実施した場合に作業者が「ACT」ボタン６７ｉを操作すると、上述した対策内容入力画面５９が表示されるようになっている。【００８１】
そして、作業者が対策内容入力画面５９の対策内容入力欄５９ａに対策内容データを入力した後、実行ボタン５９ｂを操作すると、点検項目と対策内容入力欄５９ａに入力したデータとの組み合わせが対策履歴データとして、上記機体データ及び点検作業データと関連付けられて保存デバイス３５に記憶されるとともに、対策内容入力画面５９が閉じられ、データ入力欄６７ｄに「ACT」が入力されるようになっている。【００８２】
そして、作業者が月間点検入力画面６５Ａ，６５Ｂ等の実行ボタン６５ａを操作すると、点検項目とデータ入力欄６７ｃに入力したデータとの組み合わせが月間点検履歴データとして、上記機体データ及び点検作業データと関連付けられて保存デバイス３５に記憶されるとともに、月間点検入力メニュー画面６３に戻る。また、月間点検入力メニュー画面６３のメインメニューボタン６４ｂを操作すると、点検入力メインメニュー画面４９に戻る。【００８３】
前述の図５Ｂに戻り、作業者が点検入力メインメニュー画面４９の未対策・未点検ボタン５１ｄを操作すると、上記日常点検入力画面５４、週間点検入力画面５６、月間点検入力画面６７Ａ，６７Ｂ等における点検項目から未対策及び未点検の点検項目を抽出して表示する未対策・未点検入力画面６８に切り替えられる（図１１参照）。図１２は、未対策及び未点検の点検項目の抽出処理の制御内容を表すフローチャートである。【００８４】
この図１２において、まずステップ１００において、各点検項目のデータ入力欄５８ｄ（又は６７ｄ）がブランクであるかどうかを判定する。「YES」、「OK」、「NG」、及び「ACT」のうちいずれかがデータ入力欄５８ｄ（又は６７ｄ）に入力されている場合は、ステップ１００の判定が満たされず、ステップ１１０に移る。ステップ１１０では、その点検項目を未表示状態に設定する。【００８５】
一方、ステップ１００でデータ入力欄５８ｄ（又は６７ｄ）がブランクである場合は、その判定が満たされ、ステップ１２０に移る。ステップ１２０では、各点検項目の前回データ表示欄５８ｅ（又は６７ｅ）が「NG」であるかどうかを判定する。前回データ表示欄５８ｅ（又は６７ｅ）が「NG」である場合は、ステップ１２０の判定が満たされ、ステップ１３０に移る。ステップ１３０では、その点検項目を表示状態に設定する。すなわち、未対策の点検項目が抽出される。【００８６】
一方、ステップ１２０で前回データ表示欄５８ｅ（又は６７ｅ）が「YES」、「OK」、「ACT」、及びブランクのうちのいずれかである場合は、その判定が満たされず、ステップ１４０に移る。ステップ１４０では、データ記録装置３０から取得した通信開始時の稼働時間と納品時の稼働時間初期値との差より実質稼働時間を演算する。そして、ステップ１５０に進み、データ記録装置３０から取得した油圧ショベル１の機種に応じて点検時期データ（稼働時間基準、詳細は、後述の点検インターバル設定プログラムにて説明）を保存デバイス３５から読み込み、実質稼働時間が点検時期以上であるかどうかを判定する。実質稼働時間が点検時期未満である場合は、ステップ１５０の判定が満たされず、上述したステップ１１０に移って、その点検項目を未表示状態に設定する。【００８７】
一方、ステップ１５０で実質稼働時間が点検時期以上である場合は、その判定が満たされ、ステップ１６０に移る。ステップ１６０では、点検時期（実際には、点検時期前後の所定の許容範囲内）に点検作業が実施されているかどうかを、保存デバイス３８に記憶された過去の点検履歴データに基づいて判定する。点検時期に点検作業が実施されている場合は、ステップ１６０の判定が満たされ、上述したステップ１１０に移って、その点検項目を未表示状態に設定する。一方、点検時期に点検作業が実施されていない場合は、ステップ１６０の判定が満たされず、上述のステップ１３０に移って、その点検項目を表示状態に設定する。すなわち、未点検の点検項目が抽出される。【００８８】
なお、上述した未対策及び未点検の点検項目の抽出処理は、作業者が点検情報入力画面４８の実行ボタン４８ｇを操作したときに行ってもよい。そして、未対策又は未点検の点検項目がある場合は、未対策・未点検入力画面６８に切り替えられ、未対策及び未点検の点検項目がない場合は、点検入力メインメニュー画面４９に切り替えられるようにしてもよい。また、未点検の点検項目は点検時期の少し前に抽出されるほうが好ましいため、上述したステップ１５０において実質稼働時間が（点検時期−所定の設定時間）以上であるかどうかを判定するように変更してもよい。【００８９】
前述の図１１に戻り、未対策・未点検入力画面６８は、基本情報表示領域５０、点検入力領域６９、実行ボタン６８ａ、及び上記発見事項ボタン６８ｂを備えている。点検入力領域６９には、上述のようにして抽出された未対策及び未点検の点検項目が表示されるようになっている。点検入力領域６９は、作業内容（例えば部品交換作業、廃油作業、清掃作業、外観検査、給脂作業、レベル検査、目視検査等）に応じて分類した点検項目をそれぞれ一覧表示する複数のシート７０を備えており、作業内容が記載された各シート７０のタブ７０ａを操作すると、対応するシート７０が選択されて表示されるようになっている。なお、シート７０における各点検項目の表示構成は、上記シート５８，６７と同様のため説明を省略する。【００９０】
そして、未対策・未点検入力画面６８の実行ボタン６８ａを操作すると、対応する点検履歴データ（日常点検履歴データ、週間点検履歴データ、月間点検履歴データ）が上記機体データ及び点検作業データと関連付けられて保存デバイス３５に記憶されるとともに、点検入力メインメニュー画面４９に戻る。【００９１】
前述の図５Ｂに戻り、作業者が点検入力メインメニュー画面４９の補充ボタン５１ｅを操作すると、図１３に示す補充量入力画面７１に切り替えられる。この補充量入力画面７１は、点検作業（補充・交換作業を含む）を行う作業者とは別に定期的に補充作業を行う作業者がいる場合、補充作業における補充量を入力するためのものである。【００９２】
補充量入力画面７１は、基本情報表示領域５０Ａ（上記基本情報表示領域５０から点検作業日時表示欄５０ｅを除いた構成）、補充作業の日付の入力欄７１ａ、補充作業の時刻の入力欄７１ｂ、補充物の入力欄７１ｃ、補充量の入力欄７１ｄ、量単位の表示欄７１ｅ、及び実行ボタン７１ｆを備えている。量単位表示欄７１ｅには、後述のオプション設定プログラムで設定した単位が表示される。【００９３】
日付入力欄７１ａ、時刻入力欄７１ｂ、及び補充量入力欄７１ｄの右側には、上記テンキーダイアログ画面６２を表示するためのテンキー表示ボタン７１ｇが設けられており、上述したテンキーダイアログ画面６２上の操作により日付入力欄７１ａ、時刻入力欄７１ｂ、補充量入力欄７１ｄに補充作業の日付、時刻、数量がそれぞれ入力される。また、補充物入力欄７１ｃの右側には、リスト表示ボタン７１ｈが設けられている。作業者がリスト表示ボタン７１ｈを操作すると、例えば「ENGINE OIL」、「GEAR OIL」、…を一覧表示した入力リスト（図示せず）が表示され、作業者が入力リスト上の例えば「ENGINE OIL」を選択操作すると、入力リストが閉じられ補充物入力欄４６ｅに「ENGINE OIL」が入力される。【００９４】
そして、補充量入力画面７１の実行ボタン７１ｆを操作すると、日付入力欄７１ａ及び時刻入力欄７１ｂに入力した補充作業の日付時刻（地域時間）が世界標準時間に換算され、この日付時刻（世界標準時間）と基本情報表示領域５０Ａの稼働時間表示欄５０ｄに表示された稼働時間と名前表示欄５０ｆに表示された点検作業者の名前とが補充作業データとして保存デバイス３５に記憶される。また、補充物入力欄７１ｃに入力した補充物と補充量入力欄７１ｄに入力した数量（さらに量単位表示欄７１ｅに表示された単位）との組み合わせが補充履歴データとして、上記機体データ及び補充作業データと関連付けられて保存デバイス３５に記憶されるとともに、点検入力メインメニュー画面４９に戻る。【００９５】
前述の図５Ｂに戻り、作業者が点検入力メインメニュー画面４９の依頼作業ボタン５１gを操作すると、追加設定された作業項目を表示する依頼作業入力画面１０５に切り替えられる（図２５参照）。依頼作業入力画面１０５は、基本情報表示領域５０、作業入力領域１０６、及び実行ボタン１０５ａを備えている。作業入力領域１０６には、作業項目毎に、項目番号ボタン１０６ａ、項目内容表示欄１０６ｂ、交換部品表示欄１０６ｃ、及びデータ入力欄１０６ｄが設けられている。操作者が項目番号ボタン１０６ａを操作すると、対応する点検部位の表示画面（図示せず）が表示されるようになっている。これにより、作業者は点検部位を確認しつつ点検作業を行える。また、例えば項目内容表示欄１０６ｂに記載された内容が部品交換作業である場合、交換部品表示欄１０６ｃには交換部品の番号が表示されている。【００９６】
そして、例えば作業結果の良否等のデータを入力する作業項目には、「OK」ボタン１０６ｅ、「NG」ボタン１０６ｆ、及び「ACT」ボタン１０６ｇが設けられている。作業者が「OK」ボタン１０６ｅを操作すると、作業結果の良好を意味する「OK」がデータ入力欄１０６ｄに入力され、「NG」ボタン１０６ｆを操作すると、作業結果が不良で未対策であることを意味する「NG」がデータ入力欄１０６ｄに入力される。また、例えば作業結果が不良で何かしらの対策を実施した場合に作業者が「ACT」ボタン１０６ｇを操作すると、上述した対策内容入力画面５９が表示されるようになっている。【００９７】
そして、作業者が対策内容入力画面５９の対策内容入力欄５９ａに対策内容データを入力した後、実行ボタン５９ｂを操作すると、作業項目と対策内容入力欄５９ａに入力したデータとの組み合わせが対策履歴データとして、上記機体データ及び点検作業データと関連付けられて保存デバイス３５に記憶されるとともに、対策内容入力画面５９が閉じられ、データ入力欄１０６ｄに「ACT」が入力されるようになっている。【００９８】
そして、作業者が依頼作業入力画面１０５の実行ボタン１０５ａを操作すると、作業項目とデータ入力欄１０６ｄに入力したデータとの組み合わせが依頼作業履歴データとして、上記機体データ及び点検作業データと関連付けられて保存デバイス３５に記憶されるとともに、点検入力メインメニュー画面４９に戻る。【００９９】
前述の図５Ｂに戻り、作業者が点検入力メインメニュー画面４９の機体情報ボタン５１ａを操作すると、図１４に示す機体情報表示画面７２に切り替えられる。機体情報表示画面７２は、基本情報表示領域５０、フロント作業機種類表示欄７２ａ、エンジン識別番号表示欄７２ｂ，７２ｃ、納入日表示欄７２ｄ、及び実行ボタン７２ｅを備えている。フロント作業機種類表示欄７２ａ、エンジン識別番号表示欄７２ｂ，７２ｃ、納入日表示欄７２ｄには、保存デバイス３５に記憶した機体データの一部（フロント作業機５の種類、エンジン１９の識別番号、納入日）が表示される。そして、作業者が機体情報表示画面７２の実行ボタン７２ｅを操作すると、点検入力メインメニュー画面４９に切り替えられる。また、点検入力メインメニュー画面４９の終了ボタン５１ｆを操作すると、点検作業プログラムが終了する。【０１００】
（２）点検履歴表示
図１５は、点検履歴表示プログラムを起動したときのモニタ３８に表示されるメイン画面を表す図である。【０１０１】
この図１５において、点検履歴表示プログラムが起動すると、点検履歴表示メインメニュー画面７３が表示される。点検履歴表示メインメニュー画面７３は、顧客コードの入力欄７３ａ、日常・週間点検ボタン７３ｂ、月間点検ボタン７３ｃ、補充ボタン７３ｄ、及び終了ボタン７３ｅを備えている。【０１０２】
顧客コード入力欄７３ａの右側には、リスト表示ボタン７３ｆが設けられている。作業者（又は管理者、以降同様のため省略）がリスト表示ボタン７３ｆを操作すると、保存デバイス３５に記憶された機体データに含まれる顧客コードを一覧表示した入力リスト（図示せず）が表示され、作業者が入力リスト上の顧客コードを選択操作すると、入力リストが閉じられ顧客コード入力欄７３ａに顧客コードが入力される。そして、作業者が点検履歴表示メインメニュー画面７３の日常・週間点検ボタン７３ｂを操作すると、図１６Ａに示す日常・週間点検履歴表示メニュー画面７４に切り替えられる。【０１０３】
日常・週間点検履歴表示メニュー画面７４は、顧客コードの表示欄７４ａ、油圧ショベル１の機種の入力欄７４ｂ、油圧ショベル１の号機番号の入力欄７４ｃ、点検結果を表示する点検作業日時範囲の表示欄７４ｄ、及びメニュー表示領域７５を備えている。顧客コード表示欄７４ａには、上記点検履歴表示メインメニュー画面７３の顧客コード入力欄７３ａに入力した顧客コードが表示される。【０１０４】
機種入力欄７４ｂ及び号機番号入力欄７４ｃの右側には、リスト表示ボタン７４ｅ，７４ｆが設けられている。そして、作業者がリスト表示ボタン７４ｅを操作すると、保存デバイス３５に記憶され顧客コード表示欄７４ａに表示した顧客コードと関連付けられた機種の一覧を表示した入力リストが表示され、作業者が入力リスト上の機種を選択操作すると、入力リストが閉じられ機種入力欄７４ｂに機種が入力される。その後、作業者がリスト表示ボタン７４ｆを操作すると、保存デバイス３５に記憶され顧客コード表示欄７４ａに表示した顧客コード及び機種入力欄７４ｂに入力した機種と関連付けられた号機番号の一覧を表示した入力リストが表示され、作業者が入力リスト上の号機番号を選択操作すると、入力リストが閉じられ号機番号入力欄７４ｂに号機番号が入力される。そして、顧客コード表示欄７４ａに表示した顧客コード、機種入力欄７４ｂ及び号機番号入力欄７４ｃに入力した機種及び号機番号を含む機体データに関連付けられた点検査業データが保存デバイス３５から読み込まれ、その点検作業データにおける日付時刻（但し地域時間に換算したもの）の範囲が点検作業日時範囲表示欄７４ｄに表示される。【０１０５】
メニュー表示領域７５は、日常点検ボタン７５ａ、週間点検ボタン７５ｂ、補充・交換量ボタン７５ｃ、及びメインメニューボタン７５ｄを備えている。作業者が日常・週間点検履歴表示メニュー画面７４の日常点検ボタン７５ａを操作すると、上記機体データ及び点検作業データに関連付けられた日常点検履歴データが保存デバイス３５から抽出されて読み込まれるとともに、日常点検履歴表示画面７６に切り替えられる。【０１０６】
日常点検履歴表示画面７６は、基本情報表示領域７７、点検履歴表示領域７８、及びサブメニューボタン７６ａを備えている。基本表示領域７７は、顧客コード表示欄７７ａ、機種表示欄７７ｂ、号機番号表示欄７７ｃ、点検作業日時範囲表示欄７７ｄを備えており、上記機体データの一部（顧客コード、油圧ショベル１の機種、号機番号）及び上記点検作業データにおける日付時刻の範囲が表示される。【０１０７】
点検履歴表示領域７８は、作業内容（例えば清掃作業、廃油作業、給脂作業、レベル検査、目視検査等）に応じて分類した点検項目をそれぞれ一覧表示する複数のシート７９を備えており、作業内容が記載された各シート７９のタブ７９ａを操作すると、対応するシート７９が選択されて表示されるようになっている。シート７９は、点検作業の日付表示欄７９ｂ、点検作業の時刻表示欄７９ｃ、稼働時間の表示欄７９ｄ、点検項目毎の項目内容表示欄７９ｅ及びデータ表示欄７９ｆを備えている。日付表示欄７９ｂ及び時刻表示欄７９ｃには、保存デバイス３５から読み込んだ点検作業データの一部である点検作業の日付時刻（世界標準時間）が地域時間に換算されて表示される。また、稼働時間表示欄７９ｄには、保存デバイス３５から読み込んだ点検作業データの一部である稼働時間が表示され、点検項目毎のデータ表示欄７９ｆには、保存デバイス３５から読み込んだ日常点検履歴データが表示される。なお、関連する日付表示欄７９ｂ、時刻表示欄７９ｃ、及び稼働時間表示欄７９ｄ、データ表示欄７９ｆは同列配置され、複数の関連データがある場合は複数列配置されるようになっている。そして、作業者が日常点検履歴表示画面７６のサブメニューボタン７６ａを操作すると、日常・週間点検履歴表示メニュー画面７４に戻る。【０１０８】
また、作業者が日常・週間点検履歴表示メニュー画面７４の週間点検ボタン７５ｂを操作すると、上記機体データ及び点検作業データに関連付けられた週間点検履歴データが保存デバイス３５から抽出されて読み込まれるとともに、週間点検履歴表示画面８０に切り替えられる（図１６Ｂ参照）。【０１０９】
週間点検履歴表示画面８０は、基本情報表示領域７７、点検履歴表示領域８１、及びサブメニューボタン８０ａを備えている。点検履歴表示領域８１は、作業内容に応じて分類した点検項目をそれぞれ一覧表示する複数のシート７９を備えており、作業内容が記載された各シート７９のタブ７９ａを操作すると、対応するシート７９が選択されて表示されるようになっている。シート７９の点検項目毎のデータ表示欄７９ｆには、保存デバイス３５から読み込んだ週間点検履歴データが表示される。そして、作業者が週間点検履歴表示画面８０のサブメニューボタン８０ａを操作すると、日常・週間点検履歴表示メニュー画面７４に戻る。【０１１０】
また、作業者が日常・週間点検履歴表示メニュー画面７４の補充・交換量ボタン７５ｃを操作すると、上記機体データ及び点検作業データに関連付けられた補充・交換履歴データが保存デバイス３５から抽出されて読み込まれるとともに、補充・交換量表示画面８２に切り替えられる（図１６Ｃ参照）。【０１１１】
補充・交換量表示画面８２は、基本情報表示領域７７、補充・交換量表示領域８３、量単位の表示欄８２ａ、及びサブメニューボタン８２ｂを備えている。補充・交換量表示領域８３は、点検作業の日付表示欄８３ａ、点検作業の時刻表示欄８３ｂ、稼働時間の表示欄８３ｃ、油脂項目（例えばエンジンオイル、ギヤオイル、作動油、水、グリース、燃料等）毎の名前表示欄８３ｄ及びデータ表示欄８３ｅを備えている。日付表示欄８３ａ及び時刻表示欄８３ｂには、保存デバイス３５から読み込んだ点検作業データの一部である点検作業の日付時刻（世界標準時間）が地域時間に換算されて表示される。また、稼働時間表示欄８３ｃには、保存デバイス３５から読み込んだ点検作業データの一部である稼働時間が表示され、点検項目毎のデータ表示欄８３ｅ（及び量単位表示欄８２ａ）には、保存デバイス３５から読み込んだ補充交換履歴データが表示される。なお、関連する日付表示欄８３ａ、時刻表示欄８３ｂ、及び稼働時間表示欄８３ｃ、データ表示欄８３ｅは同列配置され、複数の関連データがある場合は複数列配置されるようになっている。【０１１２】
そして、作業者が補充・交換量表示画面８２のサブメニューボタン８２ｂを操作すると、日常・週間点検履歴表示メニュー画面７４に戻る。また、日常・週間点検履歴表示画面７４のメインメニューボタン７５ｄを操作すると、点検履歴表示メインメニュー画面７３に戻る。【０１１３】
前述の図１５に戻り、作業者が点検履歴表示メインメニュー画面７３の月間点検ボタン７３ｃを操作すると、図１７に示す月間点検履歴表示メニュー画面８４に切り替えられる。月間点検履歴表示メニュー画面８４は、基本情報表示領域７７と、メニュー表示領域８５とで構成されている。メニュー表示領域８５は、複数の作業内容ボタン８５ａ（図１７では、部品交換ボタン、廃油ボタン、清掃ボタン、外観検査ボタン、給脂ボタン）及びメインメニューボタン８５ｂを備えている。そして、作業者が複数の作業内容ボタン８５ａのいずれかを操作すると、その作業内容に対応して分類された点検項目を表示する月間点検入力画面（図１７では代表して８６Ａを図示）に切り替えられる。【０１１４】
月間点検表示画面８６Ａ等は、基本情報表示領域７７、点検履歴表示領域８７、及びサブメニューボタン８６ａを備えている。点検履歴表示領域８７は、点検部位（例えばエンジン系、エンジンオイル、ギヤオイル、駆動系、油圧系等）に応じて分類した点検項目をそれぞれ一覧表示する複数のシート８８を備えており、点検部位が記載されたシート８８のタブ８８ａを操作すると、対応するシート８８が選択されて表示されるようになっている。シート８８は、点検作業の日付表示欄８８ｂ、点検作業の時刻表示欄８８ｃ、稼働時間の表示欄８８ｄ、点検項目毎の項目内容表示欄８８ｅ及びデータ表示欄８８ｆを備えている。日付表示欄８８ｂ及び時刻表示欄８８ｃには、保存デバイス３５から読み込んだ点検作業データの一部である点検作業の日付時刻（世界標準時間）が地域時間に換算されて表示される。また、稼働時間表示欄８８ｄには、保存デバイス３５から読み込んだ点検作業データの一部である稼働時間が表示され、点検項目毎のデータ表示欄８８ｆには、保存デバイス３５から読み込んだ月間点検履歴データが表示される。なお、関連する日付表示欄８８ｂ、時刻表示欄８８ｃ、及び稼働時間表示欄８８ｄ、データ表示欄８８ｆは同列配置され、複数の関連データがある場合は複数列配置されるようになっている。【０１１５】
そして、作業者が月間点検履歴表示画面８６Ａ等のサブメニューボタン８６ａを操作すると、月間点検履歴表示メニュー画面８４に戻る。また、月間点検履歴表示メニュー画面８４のメインメニューボタン８５ｂを操作すると、点検履歴表示メインメニュー画面７３に戻る。【０１１６】
前述の図１５に戻り、作業者が点検履歴表示メインメニュー画面７３の補充ボタン７３ｄを操作すると、図１８に示す補充量入力画面８９に切り替えられる。この補充量入力画面８９は、点検作業（補充・交換作業を含む）を行う作業者とは別に定期的に補充作業を行う作業者がいる場合、補充作業における補充量を入力するためのものである。【０１１７】
補充量入力画面８９は、基本情報表示領域７７Ａ（上記基本情報表示領域７７から点検作業日時範囲表示欄７７ｄを除いた構成）、補充作業の日付の入力欄８９ａ、補充作業の時刻の入力欄８９ｂ、油圧ショベル１の稼働時間の入力欄８９ｃ、補充作業者の名前の入力欄８９ｄ、補充物の入力欄８９ｅ、補充量の入力欄８９ｆ、量単位の表示欄８９ｇ、及びサブメニューボタン８９ｈを備えている。量単位表示欄８９ｇには、後述のオプション設定プログラムで設定した単位が表示される。【０１１８】
日付入力欄８９ａ、時刻入力欄８９ｂ、稼働時間入力欄８９ｃ、及び補充量入力欄８９ｆの右側には、上記テンキーダイアログ画面６２を表示するためのテンキー表示ボタン８９ｉが設けられており、上述したテンキーダイアログ画面６２上の操作により日付入力欄８９ａ、時刻入力欄８９ｂ、稼働時間入力欄８９ｃ、補充量入力欄８９ｆに補充作業の日付、時刻、稼働時間、数量がそれぞれ入力される。【０１１９】
また、名前入力欄８９ｄの右側には、キーボード表示ボタン８９ｊとリスト表示ボタン８９ｋが設けられている。作業者がキーボード表示ボタン８９ｊを操作すると、上記キーボードダイアログ画面４７が表示され、上述したキーボードダイアログ画面４７上の操作により名前入力欄８９ｄに名前が入力される。あるいは作業者がリスト表示ボタン８９ｋを操作すると、複数の名前（例えば予め設定され又は以前入力され記憶された名前）を一覧表示した入力リスト（図示せず）が表示され、作業者が入力リスト上の名前を選択操作すると、入力リストが閉じられ名前入力欄８９ｄに名前が入力される。
また、補充物入力欄８９ｅの右側には、リスト表示ボタン８９ｌが設けられている。作業者がリスト表示ボタン８９ｌを操作すると、例えば「ENGINE OIL」、「GEAR OIL」、…を一覧表示した入力リスト（図示せず）が表示され、作業者が入力リスト上の例えば「ENGINE OIL」を選択操作すると、入力リストが閉じられ補充物入力欄８９ｅに「ENGINE OIL」が入力される。【０１２０】
そして、補充量入力画面８９のサブメニューボタン８９ｈを操作すると、日付入力欄８９ａ及び時刻入力欄８９ｂに入力した補充作業の日付時刻（地域時間）が世界標準時間に換算され、この日付時刻（世界標準時間）と稼働時間入力欄８９ｃに入力した稼働時間と名前入力欄８９ｄに入力した補充作業者の名前とが補充作業データとして保存デバイス３５に記憶される。また、補充物入力欄８９ｅに入力した補充物と補充量入力欄８９ｆに入力した数量（さらに量単位表示欄８９ｇに表示された単位）との組み合わせが補充履歴データとして、上記機体データ及び補充作業データと関連付けられて保存デバイス３５に記憶されるとともに、点検履歴表示メインメニュー画面７３に戻る。また、点検履歴表示メインメニュー画面７３の終了ボタン７３ｅを操作すると、点検履歴表示プログラムが終了する。【０１２１】
（３）点検インターバル設定
図１９は、点検インターバル設定プログラムを起動したときのモニタ３８に表示される画面の遷移を表す図である。なお、本実施形態では、月間点検における点検項目毎の点検時期を変更可能としている。【０１２２】
この図１９において、点検インターバル設定プログラムが起動すると、インターバル設定メニュー画面９０が表示される。インターバル設定メニュー画面９０は、油圧ショベル１の機種入力欄９０ａと、複数の作業内容ボタン９０ｂ（図１９では、部品交換ボタン、廃油ボタン、清掃ボタン、外観検査ボタン、給脂ボタン）と、終了ボタン９０ｃとを備えている。機種入力欄９０ａの右側には、リスト表示ボタン９０ｄが設けられている。管理者がリスト表示ボタン９０ｄを操作すると、油圧ショベルの機種（例えば予め記憶された機種又はデータ記録装置３０から入力され記憶された機種）を一覧表示した入力リスト（図示せず）が表示され、管理者が入力リスト上の機種を選択操作すると、入力リストが閉じられ機種入力欄９０ａに機種が入力される。【０１２３】
そして、管理者が複数の作業内容ボタン９０ｂのいずれかを操作すると、その作業内容に対応して分類された点検項目を表示するインターバル設定入力画面（図１９では代表して９１Ａを図示）に切り替えられる。【０１２４】
インターバル設定入力画面９１Ａ等は、機種表示欄９１ａ、インターバル設定入力領域９２、初期化ボタン９１ｂ、及び実行ボタン９１ｃを備えている。機種表示欄９１ａは、上記インターバル設定メニュー画面９０の機種入力欄９０ａに入力した機種が表示される。インターバル設定入力領域９２は、点検部位（例えばエンジン系、エンジンオイル、ギヤオイル、駆動系、油圧系等）に応じて分類した点検項目をそれぞれ一覧表示する複数のシート９３を備えており、点検部位が記載されたシート９３のタブ９３ａを操作すると、対応するシート９３が選択されて表示されるようになっている。シート９３には、点検項目毎に項目内容表示欄９３ｂ及びインターバル入力欄９３ｃが設けられている。また、インターバル入力欄９３ｃの右側には、リスト表示ボタン９３ｄが設けられている。管理者がリスト表示ボタン９３ｄを操作すると、例えば複数のインターバル最小単位（基本単位）を一覧表示した入力リスト（図示せず）が表示され、管理者が入力リスト上のインターバル最小単位を選択操作すると、入力リストが閉じられインターバル入力欄９３ｃにインターバル最小単位が入力される。なお、管理者が初期化ボタン９１ｃを操作すると、画面表示中のシート９３における全てのインターバル入力欄９３ｃは初期値（例えば「２５０」）に戻るようになっている。【０１２５】
そして、管理者がインターバル設定画面９１Ａ等の実行ボタン９１ｃを操作すると、機種表示欄９１ａに表示された機種に対し、点検項目とインターバル入力欄９３ｂに入力したインターバル最小単位との組み合わせがインターバル基本データとして保存デバイス３５に記憶されるとともに、インターバル設定メニュー画面９０に戻る。【０１２６】
そして、携帯端末３４のＣＰＵ３６は、保存デバイス３５に設定記憶されたインターバル基本データに基づいて点検項目毎の点検時期を演算し、これを点検時期設定データとして保存デバイス３５に記憶させるようになっている。詳しく説明すると、保存デバイス３５には油圧ショベルの機種に対応する推奨点検時期データ（例えばメーカが推奨する点検項目毎の推奨インターバル）が予め設定記憶されており、点検項目毎のインターバル最小単位の倍数のなかで推奨インターバルに近いものを設定インターバルとして設定する。例えば推奨インターバルが４０００時間であり、インターバル最小単位が３００時間である場合、３００時間の倍数である３９００時間と４２００時間のうち３９００時間のほうが４０００時間に近いため、設定インターバルは３９００時間に設定される。このような点検時期設定データに基づいて、上述した未点検の点検項目の抽出処理が行われるようになっている。【０１２７】
なお、画面等は図示しないが、上述した点検項目毎の設定インターバルを表示するとともに、この設定インターバルを推奨インターバルを越えない範囲で管理者が設定変更可能にしてもよい。【０１２８】
（４）オプション設定
図２０は、オプション設定プログラムを起動したときのモニタ３８に表示される画面を表す図である。【０１２９】
この図２０において、オプション設定プログラムが起動すると、オプション設定画面９４が表示される。オプション設定画面９４は、国地域の入力欄９４ａ、量単位の入力欄９４ｂ、書換ボタン９４ｃ、及び終了ボタン９４ｄを備えている。国地域入力欄９４ａ及び量単位入力欄９４ｂの右側にはリスト表示ボタン９４ｅ，９４ｆが設けられている。管理者がリスト表示ボタン９４ｅを操作すると、複数の国地域（及び世界標準時間との時差）を一覧表示した入力リスト（図示せず）が表示され、管理者が入力リスト上の国地域を選択操作すると、入力リストが閉じられ国地域入力欄９４ａに国地域が入力される。また、管理者がリスト表示ボタン９４ｆを操作すると、例えば「gallon」、「Liter」…を一覧表示した入力リスト（図示せず）が表示され、管理者が入力リスト上の例えば「gallon」を選択操作すると、入力リストが閉じられ量単位入力欄９４ｂに「gallon」が入力される。【０１３０】
そして、管理者がオプション設定画面９４の書換ボタン９４ｃを操作すると、国地域入力欄９４ａ及び量単位入力欄９４ｂに入力したデータがオプション設定データとして保存デバイス３５に記憶されるとともに、オプション設定プログラムが終了する。なお、管理者がオプション設定画面９４の終了ボタン９４ｄを操作した場合は、そのままオプション設定プログラムが終了する。【０１３１】
そして、オプション設定データにおける世界標準時間との時差に基づいて、上述したようにデータ記録装置３０から取得した（又は保存デバイス３５に記憶した）日付時刻（世界標準時間）と画面表示する日付時刻（地域時間）とが変換されるようになっている。また、オプション設定データの単位が上述した量単位表示欄６０ａ，７１ｅ，８９ｇに表示されるようになっている。【０１３２】
次に、本実施形態の動作及び作用効果を説明する。
例えば月間点検におけるエンジン１９系の点検作業を行う際、作業者は油圧ショベル１の建屋６Ａ（又は６Ｂ）のエンジン室内に移動し、携帯端末３４を通信ケーブル３３Ｂを介し通信コネクタ３２Ｂに接続して操作し、データ制御装置３０から携帯端末３４に稼働時間及び日付時刻を入力する。そして、作業者は携帯端末３４を操作してモニタ３８にエンジン系の点検項目を表示させ、その点検項目を実施するととともに、携帯端末３４を操作して点検結果の良否等をデータ入力する。携帯端末３４は、点検項目に対する入力データを点検履歴データとして油圧ショベル１の稼働時間及び日付時刻と関連付けて記憶する。そして、作業者は携帯端末３４に記憶した点検履歴データをモニタ３８に表示させる。【０１３３】
また、作業者は携帯端末３４に記憶した点検履歴データを管理サーバ４３等に出力してもよい。図２１は、管理サーバ４３を備えた情報ネットワークの構成を一例として表す概略図である。【０１３４】
この図２１において、情報ネットワーク９５は、例えば上記油圧ショベル１の稼働現場近くの事務所等内に配置された顧客側ネットワーク９６と、この顧客側ネットワーク９６に通信回線９７（例えば公衆回線を用いたインターネット等）を介し接続されたメーカ側ネットワーク９８とで構成されている。顧客側ネットワーク９６は、通信ケーブル９９等を介し（又は無線通信によって）通信接続された携帯端末３４から点検履歴データを入力し記憶する上記管理サーバ４３と、この管理サーバ４３に接続された情報端末１００とを備えている。メーカ側ネットワーク９８は、顧客側ネットワーク９６の管理サーバ４３の点検履歴データが更新されたかどうかを検索し、点検履歴データが更新された場合は顧客の了解を得るか若しくは自動でダウンロードする管理サーバ１０１と、この管理サーバ１０１に接続された情報端末１０２とを備えている。情報端末１００，１０２は、上述した点検履歴表示プログラムが搭載され、情報端末１００，１０２の操作により管理サーバ４３，１０１の点検履歴データをモニタ表示する。【０１３５】
以上のように本実施形態においては、携帯端末３４は、油圧ショベル１のデータ記録装置３０から稼働時間及び日付時刻を取得し、この取得した油圧ショベル１の時間情報と点検履歴データとを関連付けて記憶することができる。これにより、例えば携帯端末３４に時間情報を手入力する場合に比べ、点検履歴データの時間情報の信頼性を高めることができる。また、油圧ショベル１の時間情報を基準とすることにより、油圧ショベル１の異常発生時と点検履歴データとの時間関係をより正確に判断することができ、これによって油圧ショベル１の故障診断をより迅速により的確に行うことができる。【０１３６】
また、本実施形態においては、油圧ショベルの点検部位に応じて携帯端末３４を持ち運び通信ケーブル３３Ｂを介し通信コネクタ３２Ｂ又は３２Ｃに接続し（若しくは通信ケーブル３３Ａを介し通信コネクタ３２Ａに接続し）、データ記録装置３０からの稼働時間及び日付時刻等を携帯端末３４に入力することが可能である。したがって、点検作業を行う点検部位の近傍で携帯端末３４のデータ入力作業を行うことができ、作業効率を向上させることができる。なお、上記通信コネクタ３３Ａ，３３Ｂ，３３Ｃ及び通信ケーブル３２Ａ，３２Ｂに代えて、無線通信等によってデータ記録装置３０と携帯端末３４とを通信接続してもよい。このような変形例においても、上記一実施形態同様の効果を得ることができる。【０１３７】
また本実施形態においては、携帯端末３４は、作業時期（日常点検、週間点検、月間点検）に応じて分類した点検項目をそれぞれ表示する日常点検入力画面５４、週間点検入力画面５６、及び月間点検入力画面６５Ａ，６５Ｂ等を表示させる。そして、日常点検入力画面５４及び週間点検入力画面５６は、作業内容に応じて分類した点検項目を表示する複数のシート５８を備え、このシート５８を切替え表示させる。また、月間点検入力画面６５Ａ，６５Ｂ等は、それぞれ作業内容に応じて分類した点検項目を表示するとともに、作業部位に応じて分類した点検項目を表示する複数のシート６７を備え、このシート６７を切替え表示させる。このような画面構成により、点検作業における作業性を向上させることができる。なお、点検項目の画面表示方法は上記に限られず、作業時期、作業内容、及び点検部位のうちいずれか又は組み合わせを用いて分類表示させればよい。このような変形例においても、上記一実施形態同様の効果を得ることができる。【０１３８】
また、携帯端末３４は、自動又は作業者の操作に応じて、未対策及び未点検の点検項目を抽出表示する未対策・未点検入力画面６８を表示させる。これにより、作業者は、未対策である点検項目又は点検時期であるものの未点検である点検項目を容易に確認することができる。なお、未対策・未点検入力画面６８を表示させる代わりに、例えば日常点検入力画面５４、週間点検入力画面５６、及び月間点検入力画面６５Ａ，６５Ｂ等において、未対策及び未点検の点検項目の表示形態（例えば背景色や枠等）を異ならせて表示させてもよい。このような変形例においても、上記一実施形態同様の効果を得ることができる。【０１３９】
なお、以上においては、タブレット型の携帯端末３４を例にとって説明したが、これに代えて、例えばキーボード等を備えた携帯端末としてもよい。この場合も、同様の効果を得ることができる。また、本発明の適用対象として超大型の油圧ショベル１を用いた場合を例にとって説明したが、これに限られない。すなわち、例えば各種建設工事現場等において活躍する機体重量数十トンクラスの大型ショベル、中型ショベルや、小規模工事現場で活躍する小型のショベル等に適用してもよい。また、油圧ショベル以外のクレーン等にも適用してもよい。これらの場合も、同様の効果を得る。
【図１】
2007080835.tif 000003
【図２】
2007080835.tif 000004
【図３】
2007080835.tif 000005
【図４】
2007080835.tif 000006
【図５Ａ】
2007080835.tif 000007
【図５Ｂ】
2007080835.tif 000008
【図６】
2007080835.tif 000009
【図７Ａ】
2007080835.tif 000010
【図７Ｂ】
2007080835.tif 000011
【図７Ｃ】
2007080835.tif 000012
【図８】
2007080835.tif 000013
【図９】
2007080835.tif 000014
【図１０Ａ】
2007080835.tif 000015
【図１０Ｂ】
2007080835.tif 000016
【図１１】
2007080835.tif 000017
【図１２】
2007080835.tif 000018
【図１３】
2007080835.tif 000019
【図１４】
2007080835.tif 000020
【図１５】
2007080835.tif 000021
【図１６Ａ】
2007080835.tif 000022
【図１６Ｂ】
2007080835.tif 000023
【図１６Ｃ】
2007080835.tif 000024
【図１７】
2007080835.tif 000025
【図１８】
2007080835.tif 000026
【図１９】
2007080835.tif 000027
【図２０】
2007080835.tif 000028
【図２１】
2007080835.tif 000029
【図２２】
2007080835.tif 000030
【図２３】
2007080835.tif 000031
【図２４】
2007080835.tif 000032
【図２５】
2007080835.tif 000033
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
建設機械に設けられ、機種及び号機番号を含む機体情報を記憶するとともに、稼働時間又は日付時刻を処理するデータ制御装置と、
建設機械の点検項目を表示手段に表示させる制御手段、前記表示手段に表示した点検項目に対するデータを作業者が入力可能な入力手段、及び前記入力手段で入力したデータを点検履歴データとして記憶する記憶手段を備えた携帯端末と、
前記建設機械の点検部位に対応して設けられ、前記データ制御装置に通信接続した複数の通信コネクタと、
前記通信コネクタと前記携帯端末とを接続可能な通信ケーブルとを有し、
前記携帯端末は、前記通信ケーブル及び前記通信コネクタを介し前記データ制御装置から機体情報及び稼働時間又は日付時刻を入力し、この入力した機体情報及び稼働時間又は日付時刻と関連付けて前記点検履歴データを前記記憶手段に記憶することを特徴とする建設機械の点検履歴情報管理システム。
【請求項２】
（削除）
【請求項３】
請求項１記載の建設機械の点検履歴情報管理システムにおいて、前記携帯端末の制御手段は、作業者の指令入力に応じて、前記記憶手段に記憶した点検履歴データを前記表示手段に表示させることを特徴とする建設機械の点検履歴情報管理システム。
【請求項４】
請求項１記載の建設機械の点検履歴情報管理システムにおいて、前記建設機械に対し遠隔地に設けられ、通信手段を介し前記携帯端末から点検履歴データを入力して記録する管理サーバをさらに有することを特徴とする建設機械の点検履歴情報管理システム。
【請求項５】
（削除）
【請求項６】
請求項１記載の建設機械の点検履歴情報管理システムにおいて、前記携帯端末の制御手段は、前記点検項目を作業時期に応じて分類し、作業者の入力した作業時期に対応する点検項目を前記表示手段に表示させることを特徴とする建設機械の点検履歴情報管理システム。
【請求項７】
請求項１記載の建設機械の点検履歴情報管理システムにおいて、前記携帯端末の制御手段は、前記点検項目を作業内容に応じて分類し、作業者の選択入力した作業内容に対応する点検項目を前記表示手段に表示させることを特徴とする建設機械の点検履歴情報管理システム。
【請求項８】
請求項１記載の建設機械の点検履歴情報管理システムにおいて、前記携帯端末の制御手段は、前記点検項目を点検部位に応じて分類し、作業者の選択入力した点検部位に対応する点検項目を前記表示手段に表示させることを特徴とする建設機械の点検履歴情報管理システム。
【請求項９】
請求項１記載の建設機械の点検履歴情報管理システムにおいて、前記入力手段は、前記点検履歴データとして、点検項目に対し点検作業の実施、点検結果の良否、対策内容、及び油脂類等の補充・交換量のうちいずれかを入力することを特徴とする建設機械の点検履歴情報管理システム。
【請求項１０】
請求項９記載の建設機械の点検履歴情報管理システムにおいて、前記携帯端末の制御手段は、点検結果が不良で未対策である点検項目又は点検時期にあるものの未点検である点検項目を抽出して前記表示手段に表示させる機能を有することを特徴とする建設機械の点検履歴情報管理システム。
【請求項１１】
請求項１０記載の建設機械の点検履歴情報管理システムにおいて、前記携帯端末は、前記点検項目の点検時期を設定変更する点検時期変更手段を有することを特徴とする点検履歴情報管理システム。
【請求項１２】
請求項１１記載の建設機械の点検履歴情報管理システムにおいて、前記点検時期変更手段は、入力された点検間隔の基本単位の倍数が予め設定された点検項目毎の推奨点検時期に近いものを点検時期として設定変更することを特徴とする点検履歴情報管理システム。
【請求項１３】
請求項１記載の建設機械の点検履歴情報管理システムにおいて、前記携帯端末の制御手段は、前記記憶手段に記憶した前回の点検履歴データを読込み、前記点検項目のデータ入力欄と対応する前回の点検履歴データとを同一画面上に表示させることを特徴とする建設機械の点検履歴情報管理システム。
【請求項１４】
請求項１記載の建設機械の点検履歴情報管理システムにおいて、前記携帯端末の制御手段は、予め設定された点検項目以外の発見事項を入力可能な画面を表示手段に表示させ、前記記憶手段は、前記表示手段に表示された前記画面に前記入力手段で入力したデータを発見事項データとして、前記通信ケーブル及び前記通信コネクタを介し前記データ制御装置から入力した機体情報及び稼働時間又は日付時刻と関連づけて記憶することを特徴とする建設機械の点検履歴情報管理システム。
【請求項１５】
作業者が出入り可能な複数の区画された点検領域を有する建設機械における目視点検の履歴情報を管理する建設機械の点検履歴情報管理システムにおいて、
建設機械に設けられ、機種及び号機番号を含む機体情報を記憶するとともに、稼働時間又は日付時刻を処理するデータ制御装置と、
建設機械の点検項目を表示手段に表示させる制御手段、前記表示手段に表示した点検項目に対するデータを作業者が入力可能な入力手段、及び前記入力手段で入力したデータを点検履歴データとして記憶する記憶手段を備えた携帯端末と、
前記建設機械の点検部位に対応して設けられ、前記データ制御装置に通信接続した複数の通信コネクタと、
前記通信コネクタと前記携帯端末とを接続可能な通信ケーブルとを有し、
前記携帯端末は、前記通信ケーブル及び前記通信コネクタを介し前記データ制御装置から機体情報及び稼働時間又は日付時刻を入力し、この入力した機体情報及び稼働時間又は日付時刻と関連付けて前記点検履歴データを前記記憶手段に記憶することを特徴とする建設機械の点検履歴情報管理システム。
【国際調査報告】
2007080835.tif 000034
2007080835.tif 000035
2007080835.tif 000036
2007080835.tif 000037